(57)【要約】【課題】首周りを覆い包むように結束固定することが非常に容易であり、垂れ下がりを防止するパーマ液吸収用手ぬぐいを提供することにある。【解決手段】両端の一方コーナー部１０１，１０２側に形成されたそれぞれの紐を引っ張り、該紐で、各コーナー部１０１，１０２をまとめて折り合わせて共に結束する第１結着部１１０及び第２結着部１２０を含むことを特徴とする。【選択図】図２
2018534046.tif 000002
【特許請求の範囲】
【請求項１】
両端の一方コーナー部１０１，１０２側に形成されたそれぞれの紐を引っ張り、該紐で、各コーナー部１０１，１０２をまとめて折り合わせて共に結束する第１結着部１１０及び第２結着部１２０を含むことを特徴とするパーマ液吸収用手ぬぐい。
【請求項２】
前記第１結着部１１０は、一側コーナー部１０１側に引き出される⊂型第１紐１１１と、前記第１紐１１１の先端部が外部に露出されるように開放され、他端は、手ぬぐいに固定されるように縫製される（１１３）カバー部１１２と、から構成されたことを特徴とする請求項１に記載のパーマ液吸収用手ぬぐい。
【請求項３】
前記第２結着部１２０は、一側コーナー部１０２側に引き出される⊃型第２紐１２１と、前記第２紐１２１の先端部が外部に露出されるように開放され、他端は、手ぬぐいに固定されるように縫製される（１２３）カバー部１２２と、から構成されたことを特徴とする請求項１に記載のパーマ液吸収用手ぬぐい。
【請求項４】
前記第１結着部１１０と第２結着部１２０には、第１紐１１１及び第２紐１２１がそれぞれのカバー部１１２，１２２内部に隠蔽されることを防止する第１係止縫製線１１４及び第２係止縫製線１２４がさらに形成される特徴とする請求項２または３に記載のパーマ液吸収用手ぬぐい。
【請求項５】
前記第１結着部１１０及び第２結着部１２０の間に構成され、２本の紐を引っ張って結束させ、しわを形成させる係止部１３０をさらに含むことを特徴とする請求項１に記載のパーマ液吸収用手ぬぐい。
【請求項６】
前記係止部１３０は、前記第１結着部１１０及び第２結着部１２０の間に構成され、手ぬぐいの内側に引き出される∩型の第３紐１３１及び第４紐１３２と、前記第３紐１３１及び第４紐１３２の先端部が外部に露出されるように開放され、他端は、手ぬぐいに固定されるように縫製される（１３４）カバー部１３３と、前記第３紐１３１と第４紐１３２との間のカバー部１３３上に形成される第３係止縫製線１３５と、前記第３紐１３１及び第４紐１３２がカバー部１３３内部に隠蔽されることをそれぞれ防止する第４係止縫製線１３６及び第５係止縫製線１３７と、から構成されたことを特徴とする請求項５に記載のパーマ液吸収用手ぬぐい。 
【発明の詳細な説明】
【技術分野】
【０００１】
本発明は、パーマ液吸収用手ぬぐいに係り、さらに詳細には、首周りを覆い包むように結束固定することが非常に容易であり、垂れ下がりを防止するパーマ液吸収用手ぬぐいに関する。
【背景技術】
【０００２】
周知されているようなパーマ液吸収用手ぬぐいは、パーマ時に首周りを覆い包むように結束させ、髪の毛で流れ落ちる染色薬や中和剤のようなパーマ液を吸収する役割を行うことにより、特に、美容院で使用される用具である。
【０００３】
その使用状態について、図１を参照して述べれば、ヘアデザイナーは、手ぬぐい１０をパーマ被施術者の首に巻いた後、両端一側のコーナー部１１，１２を引っ張り、輪ゴム１３を利用して結着させた後、首に固定させる。
【０００４】
その後、前記中和剤髪支え２０を首に着用させた後、パーマ液などを髪の毛に塗布する。
【０００５】
従って、頭皮を伝って流れ落ちるパーマ液は、首周りの手ぬぐい１０に吸収され、髪の毛を通して流れ落ちるパーマ液は、中和剤髪支え２０によって収容される。
【０００６】
しかし、かような手ぬぐい１０の使用において、手ぬぐい１０の結束時、別途の輪ゴム１３を準備して利用しなければならないという不都合があり、手ぬぐい１０を首に装着した後には、経時的に手ぬぐい１０の中央部位１４が、中和剤髪支え２０の部位２１下に絶えず垂れ下がり、頭皮から流れ落ちるパーマ液が首部位を濡らしてしまう問題点が生じていた。
【発明の概要】
【発明が解決しようとする課題】
【０００７】
本発明は、前述の問題点を解決するために案出されたものであり、本発明の目的は、首周りを覆い包むように、結束固定が非常に容易であり、垂れ下がりを防止するパーマ液吸収用手ぬぐいを提供することにある。
【課題を解決するための手段】
【０００８】
かような目的を達成するための本発明は、両端の一方コーナー部側に形成されたそれぞれの紐を引っ張り、その紐で各コーナー部をまとめて折り合わせて共に結束する第１結着部及び第２結着部を含むことを特徴とする。
【０００９】
また本発明によれば、前記第１結着部は、一側コーナー部側に引き出される⊂型第１紐と、前記第１紐の先端部が外部に露出されるように開放され、他端は、手ぬぐいに固定されるように縫製されるカバー部と、から構成されたことを特徴とする。
【００１０】
また、本発明によれば、前記第２結着部は、一側コーナー部側に引き出される⊃型第２紐と、前記第２紐の先端部が外部に露出されるように開放され、他端は、手ぬぐいに固定されるように縫製されるカバー部と、から構成されたことを特徴とする。
【００１１】
また、本発明によれば、前記第１結着部と第２結着部には、第１紐及び第２紐がそれぞれのカバー部内部に隠蔽されることを防止する第１係止縫製線及び第２係止縫製線がさらに形成されることを特徴とする。
【００１２】
また、本発明によれば、前記第１結着部及び第２結着部の間に構成され、２本の紐を引っ張って結束させてしわを形成させる係止部をさらに含むことを特徴とする。
【００１３】
また、本発明によれば、前記係止部は、前記第１結着部及び第２結着部の間に構成され、手ぬぐいの内側に引き出される∩型の第３紐及び第４紐と、前記第３紐及び第４紐の先端部が外部に露出されるように開放され、他端は、手ぬぐいに固定されるように縫製されるカバー部と、前記第３紐と第４紐の間のカバー部上に形成される第３係止縫製線と、前記第３紐及び第４紐がカバー部内部に隠蔽されることをそれぞれ防止する第４係止縫製線及び第５係止縫製線と、からで構成されたことを特徴とする。
【発明の効果】
【００１４】
このように、本発明は、首周りを覆い包むように結束固定することが非常に容易であり、垂れ下がりを防止し、首周りにパーマ液が付かないという長所を提供する。
【図面の簡単な説明】
【００１５】
【図１】従来のパーマ液吸収用手ぬぐいの使用状態構成図である。
【図２】本発明によるパーマ液吸収用手ぬぐいの構成図である。
【図３】本発明による第１結着部及び第２結着部の詳細構成図である。
【図４】本発明による係止部の詳細構成図である。
【図５】本発明による第１結着部及び第２結着部の動作状態構成図である。
【図６】本発明による係止部の動作状態構成図である。
【図７】本発明によるパーマ液吸収用手ぬぐいの使用状態図である。
【発明を実施するための形態】
【００１６】
以下、添付された図面を参照し、本発明の望ましい実施例についてさらに詳細に説明する。
【００１７】
図２は、本発明によるパーマ液吸収用手ぬぐいの構成図であり、図３は、本発明による第１結着部及び第２結着部の詳細構成図であり、図４は、本発明による係止部の詳細構成図である。
【００１８】
図示されているように、本発明パーマ液吸収用手ぬぐい１００は、両端の一方コーナー部１０１，１０２側に形成されたそれぞれの紐を引っ張り、その紐で各コーナー部１０１，１０２をまとめて折り合わせて共に結束する第１結着部１１０及び第２結着部１２０を含む。
【００１９】
前記第１結着部１１０は、図３（ａ）のように、一側コーナー部１０１側に引き出される⊂型第１紐１１１と、前記第１紐１１１の先端部が外部に露出されるように開放され、他端は、手ぬぐいに固定されるように縫製される（１１３）カバー部１１２と、を含む。
【００２０】
また、前記第１結着部１１０には、前記第１紐１１１がカバー部１１２内部に隠蔽されることを防止する第１係止縫製線１１４がさらに形成される。
【００２１】
前記第２結着部１２０は、図３（ｂ）のように、一側コーナー部１０２側に引き出される⊃型第２紐１２１と、前記第２紐１２１の先端部が外部に露出されるように開放され、他端は、手ぬぐいに固定されるように縫製される（１２３）カバー部１２２と、を含む。
【００２２】
また、前記第２結着部１２０には、前記第２紐１２１がカバー部１２２内部に隠蔽されることを防止する第２係止縫製線１２４がさらに形成される。
【００２３】
このように構成される第１結着部１１０及び第２結着部１２０の作動状態について説明する。
【００２４】
まず、前記第１結着部１１０及び第２結着部１２０は、図５（ａ）のように、第１紐１１１及び第２紐１２１を引っ張れば、前記第１紐１１１及び第２紐１２１は、カバー部１１２，１２２から長く引き出される。
【００２５】
その後、図５（ｂ）のように、手ぬぐい１００のコーナー部１０１，１０２を合わせ、さらに図５（ｃ）のように、コーナー部１０１とコーナー部１０２とを重ねた後、引き出された第１紐１１１及び第２紐１２１で、コーナー部１０１，１０２を結束固定する。
【００２６】
従って、手ぬぐい１００は、着用者の首に明瞭簡潔に装着される。
【００２７】
また、本発明パーマ液吸収用手ぬぐい１００は、前記第１結着部１１０及び第２結着部１２０の間に構成され、２本の紐を引っ張って結束させ、しわを形成させる係止部１３０をさらに含む。
【００２８】
前記係止部１３０は、図４のように、前記第１結着部１１０及び第２結着部１２０の間に構成され、手ぬぐいの内側に引き出される∩型の第３紐１３１及び第４紐１３２と、前記第３紐１３１及び第４紐１３２の先端部が外部に露出されるように開放され、他端は、手ぬぐいに固定されるように縫製される（１３４）カバー部１３３と、前記第３紐１３１と第４紐１３２との間のカバー部１３３上に形成される第３係止縫製線１３５と、前記第３紐１３１及び第４紐１３２がカバー部１３３内部に隠蔽されることをそれぞれ防止する第４係止縫製線１３６及び第５係止縫製線１３７と、から構成される。
【００２９】
前記第３係止縫製線１３５は、前記第３紐１３１と第４紐１３２とを互いにゆわいたとき、前記紐がカバー部１３３内部に隠蔽されないようにし、カバー部１３３がしわ状態を維持するようにする。
【００３０】
このように構成される前記係止部１３０の作動状態について説明すれば、前記係止部１３０は、図６（ａ）のように、第３紐１３１と第４紐１３２とを引っ張れば、前記第３紐１３１と第４紐１３２は、それぞれカバー部１３３から長く引き出される。このとき、前記カバー部１３３は、しわになった状態になる。
【００３１】
その後、図６（ｂ）のように、前記第３紐１３１と第４紐１３２とを互いにゆわく。従って、前記カバー部１３３は、図６（ｃ）のように、しわ状態を維持するようになる。
【００３２】
以上のように構成される本発明の全体使用状態について、図７を参照して説明する。
【００３３】
まず、パーマ施行後、ユーザの首に、コーナー部１０１，１０２が前に位置するように、手ぬぐい１００を巻いた後、第１結着部１１０及び第２結着部１２０の第１紐１１１及び第２紐１２１を引っ張り、前記コーナー部１０１，１０２を結束し、ユーザの首に手ぬぐいを固定する。
【００３４】
そして、係止部１３０の第３紐１３１及び第４紐１３２を引っ張り、互いにゆわき、カバー部１３３にしわ部を形成する。
【００３５】
かような状態で、図７のように、中和剤髪支え２０を首周りに着用させれば、しわになったカバー部１３３が突起の役割を行うことになる。
【００３６】
従って、前記しわになった突起型カバー部１３３は、前記中和剤髪支え２０の部位２１（図１）に引っ掛かり、それ以上前記部位２１の下に垂れ込まなくなる。
【図１】
2018534046.tif 000003
【図２】
2018534046.tif 000004
【図３】
2018534046.tif 000005
【図４】
2018534046.tif 000006
【図５】
2018534046.tif 000007
【図６】
2018534046.tif 000008
【図７】
2018534046.tif 000009
【国際調査報告】
2018534046.tif 000010
2018534046.tif 000011
2018534046.tif 000012
2018534046.tif 000013
2018534046.tif 000014
2018534046.tif 000015